(57)【要約】【課題】他機能を追加した際に表示ランプを増加させることなく、運転中の機能を視覚的に示すことができる空気調和機を提供する。【解決手段】空気調和機は、運転状態を表示する１以上の表示ランプと、室内機の内部を乾燥させる乾燥モードと室内熱交換器を洗浄する洗浄モードとを有する制御部と、を備え、制御部は、乾燥モードと前記洗浄モードの運転開始時又は運転中に、同じ表示ランプ（例えば、「運転」ランプ、「クリーン」ランプ））を点灯し、かつ、乾燥モードと洗浄モードとでは上下風向板１９を異なる方向に向ける。【選択図】図４
2018200127.tif 000002
【特許請求の範囲】
【請求項１】
運転状態を表示する１以上の表示ランプと、
室内機の内部を乾燥させる乾燥モードと室内熱交換器を洗浄する洗浄モードとを有する制御部と、を備え、
前記制御部は、前記乾燥モードと前記洗浄モードの運転開始時又は運転中に、同じ前記表示ランプを点灯し、かつ、前記乾燥モードと前記洗浄モードとでは上下風向板を異なる方向に向ける
ことを特徴とする空気調和機。
【請求項２】
前記制御部は、前記乾燥モードのときに前記上下風向板を室内空間の水平方向又は上側方向に向け、前記洗浄モードのときに前記上下風向板を前記室内空間の下側方向に向ける
ことを特徴とする請求項１に記載の空気調和機。
【請求項３】
前記制御部は、前記洗浄モードの運転を開始する際に、空調運転の停止時から所定時間が経過した後に、前記室内熱交換器の凍結又は結露を行う
ことを特徴とする請求項１に記載の空気調和機。
【請求項４】
前記空気調和機の動作を操作する空調制御端末を有し、
前記空調制御端末は、前記洗浄モードの開始時刻として、空調運転の停止時から所定時間経過後の時刻を設定可能とする
ことを特徴とする請求項１に記載の空気調和機。
【請求項５】
前記空気調和機は、人を検出する人検出部を有し、
前記制御部は、前記人検出部で人が検出されていない場合に、前記洗浄モードの運転をする
ことを特徴とする請求項１に記載の空気調和機。
【請求項６】
前記空気調和機は、
圧縮機、凝縮器、膨張弁、及び蒸発器を順次に介して、冷凍サイクルで冷媒が循環する冷媒回路を備え、
前記制御部は、少なくとも前記圧縮機及び前記膨張弁を制御し、
前記凝縮器及び前記蒸発器の一方は室外熱交換器であり、他方は前記室内熱交換器であり、
前記制御部は、前記乾燥モードのときに、前記室内熱交換器を前記蒸発器として機能させ、前記室内熱交換器を凍結又は結露させる
ことを特徴とする請求項１に記載の空気調和機。
【請求項７】
前記制御部は、前記室内熱交換器を凍結又は結露させているときは、室内ファンを停止する
ことを特徴とする請求項６に記載の空気調和機。
【請求項８】
前記制御部は、被空調空間の空気の相対湿度又は絶対湿度が高いほど、前記室内熱交換器の凍結又は結露を行う時間を短くする
ことを特徴とする請求項６に記載の空気調和機。
【請求項９】
前記制御部は、前記室内熱交換器を凍結又は結露させる際、室外温度が高いほど、前記圧縮機のモータの回転速度を大きくする
ことを特徴とする請求項６に記載の空気調和機。
【請求項１０】
前記制御部は、前記室内熱交換器を凍結又は結露させているとき、前記室内熱交換器の温度が所定範囲内に収まるように前記膨張弁の開度を調整するか、又は、前記圧縮機のモータの回転速度を調整する
ことを特徴とする請求項６に記載の空気調和機。
【発明の詳細な説明】
【技術分野】
【０００１】
本発明は、空気調和機に関する。
【背景技術】
【０００２】
空気調和機の室内機には、運転状況を知らせるランプ表示部を有する。特許文献１には、クリーンランプの例があり、以下の表示を行うことが記載されている。
（１）脱臭空気清浄運転の表示。
（２）フィルタ清掃の表示：フィルタ清掃は、空気調和機の運転の積算時間により自動で行われる自動清掃と、リモコンの操作による手動清掃とがある。
（３）内部クリーンの表示：内部クリーンとは、空気調和機の停止中に、ファンを所定時間停止後、ファンを１５分間運転し、弱暖房運転を最大１０分間行い、熱交換器の水分を乾燥させる運転をいう。
【先行技術文献】
【特許文献】
【０００３】
【特許文献１】特開２０１０−６５９３７号公報（段落００１４）
【発明の概要】
【発明が解決しようとする課題】
【０００４】
しかしながら、特許文献１に記載の技術において、ひとつのクリーンランプで多種の表示を行っているため、ユーザにとってはどの機能が運転中かわかりにくいことがある。また、他の機能を追加した場合にも、ランプ表示部の表示領域の制限等で別途ランプを増加させることは、見た目にもユーザへの印象が悪くなるおそれがある。
【０００５】
本発明は、前記の課題を解決するための発明であって、他機能を追加した際に表示ランプを増加させることなく、運転中の機能を視覚的に示すことができる空気調和機を提供することを目的とする。
【課題を解決するための手段】
【０００６】
前記目的を達成するため、本発明の空気調和機は、運転状態を表示する１以上の表示ランプと、室内機の内部を乾燥させる乾燥モードと室内熱交換器を洗浄する洗浄モードとを有する制御部と、を備え、制御部は、乾燥モードと洗浄モードの運転開始時又は運転中に、同じ前記表示ランプを点灯し、かつ、乾燥モードと洗浄モードとでは上下風向板を異なる方向に向けることを特徴とする。洗浄モードは、制御部が、室内熱交換器を蒸発器として機能させ、室内熱交換器を凍結又は結露させることを特徴とする。
【発明の効果】
【０００７】
本発明によれば、他機能（例えば、洗浄モード）を追加した際に表示ランプを増加させることなく、運転中の機能を視覚的に示すことができる。
【図面の簡単な説明】
【０００８】
【図１】実施形態に係る空気調和機を示す外観構成図である。
【図２】実施形態に係る空気調和機の室内機の側断面構成を示す説明図である。
【図３】実施形態に係る室内機のランプ表示部を示す説明図である。
【図４】クリーンランプ点灯時の各モードを示す説明図であり、（ａ）はフィルタ清掃モード、（ｂ）は乾燥モード、（ｃ）は洗浄モードを示す図である。
【図５】実施形態に係る空気調和機のリモコンの外観を示す説明図であり、（ａ）はカバーを閉じた通常使用時、（ｂ）カバーの開放時を示す図である。
【図６】リモコン操作による洗浄モードの表示例を示す説明図であり、（ａ）は洗浄動作を行う場合、（ｂ）は洗浄動作を行わない場合である。
【図７】実施形態に係る空気調和機の冷媒回路を示す説明図である。
【図８】実施形態に係る空気調和機の制御機能を示すブロック図である。
【図９】実施形態に係る空気調和機の制御部が実行する洗浄処理を示すフローチャートである。
【図１０】室内熱交換器を凍結させるための処理を示すフローチャートである。
【図１１】室内空気の相対湿度と、凍結時間との関係を示すマップである。
【図１２】室外温度と、圧縮機の回転速度との関係を示すマップである。
【図１３】室内熱交換器の温度の時間的な変化の一例を示す説明図である。
【図１４】圧縮機及び室内ファンのＯＮ／ＯＦＦの切替えを示す説明図である。
【図１５】室内熱交換器を解凍するための処理を示すフローチャートである。
【図１６】室内熱交換器を乾燥させるための処理を示すフローチャートである。
【発明を実施するための形態】
【０００９】
本発明を実施するための実施形態について、適宜図面を参照しながら詳細に説明する。
＜＜構造＞＞
＜全体＞
図１は、実施形態に係る空気調和機の外観構成を示す図である。空気調和機ＡＣは、冷凍サイクル（ヒートポンプサイクル）で冷媒を循環させることによって、空調を行う機器である。空気調和機ＡＣは、室内機１０と、室外機３０と、赤外線、電波、通信線等により室内機と通信してユーザが空気調和機ＡＣを操作するためのリモコン４０（空調制御端末）とを有してなる。また、室内機１０と室外機３０とは、冷媒配管と通信ケーブルで接続されている。室内機１０には、撮像部２３が、左右方向中央に配置されている。リモコン送受信部１１は、室内機１０の前方下部付近のリモコン信号を受信しやすい位置に配置している。また、撮像部２３の横には、ランプの点灯により各種の運転状態を示すランプ表示部５０（図３参照）を有している。
【００１０】
＜室内機＞
図２は、実施形態に係る室内機の側断面構成を示す図である。室内機１０は、室内熱交換器１２、ドレンパン１３、室内ファン１４、フィルタ１６、左右風向板１８、上下風向板１９（上部上下風向板１９ａ、下部上下風向板１９ｂ）、前面パネル１７、電装品、各種のセンサ等を、筐体１５内に収容している。
【００１１】
室内熱交換器１２は、複数本の伝熱管を有し、室内ファン１４により室内機内に取り込まれた室内の空気を、伝熱管を通流する冷媒と熱交換させ、当該空気を冷却、加熱等するように構成されている。なお、伝熱管は、前記した冷媒配管に通じていて、公知の冷媒サイクルの一部を構成している。また、室内ファン１４は風速を調節可能である。
【００１２】
ドレンパン１３は、室内熱交換器１２から滴り落ちる水を受けるものであり、室内熱交換器１２の下側に配置されている。なお、ドレンパン１３に滴り落ちた水は、ドレンホース（図示せず）を介して外部に排出される。
【００１３】
フィルタ１６は、空気吸込口ｈ１等を介して取り込まれる空気から塵埃を除去するものであり、室内熱交換器１２の上側・前側に設置されている。
【００１４】
左右風向板１８は、その基端側が室内機１０の下部に設けた回転軸を支点にして左右風向板用モータ２１（図８参照）により正逆回転される。そして、左右風向板１８の先端側が室内側を向いていて、これにより左右風向板１８の先端側は水平方向に振れるように動作可能である。上下風向板１９は、室内機１０の長手方向両端部に設けられた回転軸を支点にして上下風向板用モータ２２（図８参照）により正逆回転される。これにより、上下風向板１９の先端側は上下方向に振れるように動作可能である。前面パネル１７は、室内機１０の前面を覆うように設置されており、下端部の回転軸を支点として前面パネル１７用モータにより正逆回転可能である。ちなみに、前面パネル１７は、回転動作を行うことなく、室内機の下端に固定されたものとしてもよい。
【００１５】
室内機１０は、室内ファン１４が回転することによって、空気吸込口ｈ１及びフィルタ１６を介して室内の空気を室内機内に取り込み、この空気を室内熱交換器１２で熱交換する。これにより、当該熱交換後の空気は、室内熱交換器１２で冷却され、あるいは、加熱される。この熱交換後の空気は空気吹出し風路ｈ２に導かれる。さらに、空気吹出し風路ｈ２に導かれた空気は、空気吹出し口ｈ３から室内機外部に送り出されて室内を空気調和する。そして、この熱交換後の空気が吹出し口から室内に吹き出す際には、その水平方向の風向きは左右風向板１８により調節され、その上下方向の風向きは上下風向板１９により調節される。
【００１６】
＜室外機＞
室外機３０（図１参照）は、仕切り板と電装品箱とリード線支持部品とにより、熱交換器室と機械室とを区分（分割）している。熱交換器室には、冷媒配管を循環する冷媒の外気との熱交換を促進するプロペラファン（室外ファン３３）（図７参照）とその駆動用の室外ファンモータ３３ａ（図７参照）、プロペラファンを回転自在に支持するプロペラファン支柱、及び外気と循環する冷媒の熱交換を行う室外熱交換器３２（図７参照）が配設されている。機械室には、循環する冷媒を高温高圧のガス冷媒にする圧縮機、常温・高圧の液状冷媒を低温・低圧の液状冷媒にする電動膨張弁、電気部品のリアクタ、及び、冷媒が流れる冷媒配管の伝熱管が配設されている。電装品箱には、室外機を制御する電装品が収納されており、その上部には電装品蓋が被せられている。
【００１７】
＜ランプ表示部＞
図３は、実施形態に係る室内機のランプ表示部を示す説明図である。ランプ表示部５０のランプの点灯により運転状態を示す。ランプには、運転中に点灯する「運転」ランプ、タイマー予約中等に点灯する「タイマー」ランプ、フィルタの清掃中（フィルタ清掃モード）・内部クリーン運転中（乾燥モード）・室内熱交換器の洗浄中（洗浄モード）に点灯する「クリーン」ランプ、ｅｃｏ運転中に点灯する「ｅｃｏ」ランプ、人を検出すると点灯する「在室」ランプ、自動運転中に点灯する「オートオフ」ランプ、予熱・霜とり運転中に点灯する「予熱・霜とり」ランプ、カビの発生のみはり中に点灯する「みはり」ランプ等がある。
【００１８】
本実施形態では、図４を参照して、他機能（例えば、洗浄モードの機能）を追加した際に表示ランプを増加させることなく、運転中の機能を視覚的に示すことができることを説明する。なお、今回新たに追加した洗浄モードの機能は、図７〜図１６を参照して後記する。
【００１９】
図４は、クリーンランプ点灯時の各モードを示す説明図であり、（ａ）はフィルタ清掃モード、（ｂ）は乾燥モード、（ｃ）は洗浄モードを示す図である。なお、図４の左側の列はランプ表示部５０の表示を示し、図４の右側の列は、図２に示した室内機の側断面構成で各モードの運転状態を示す。
【００２０】
（１）フィルタ清掃モードは、条件を満たすと運転停止時に、自動でフィルタを清掃するモードである。リモコンを操作してフィルタを清掃することもできる。
（２）乾燥モード（「内部クリーン」のモード）は、設定すると「冷房」等を運転停止したあとに、乾燥（「暖房」「送風」）を所定時間運転して、室内機内部のカビの発生を抑制するモードである。
（３）今回新たに追加した洗浄モードは、空調運転停止後、所定時間経過後に室内熱交換器１２を凍結・解凍・乾燥運転して、室内熱交換器１２を洗浄するモードである。
【００２１】
３つのモードのいずれも、構成部品を「クリーン」にする機能であるので、「クリーン」ランプが用いられる。しかしながら、「クリーン」ランプの点灯だけでは、どのモードが起動しているかユーザには不明であるので、以下のように機能分けをしている。
【００２２】
図４（ａ）のフィルタ清掃モードの場合、ランプ表示部５０の「クリーン」ランプが点灯し、室内機１０の上下風向板１９は、運転停止中の位置である。ユーザは、これにより、空調運転が停止しており、室内機１０の内部清掃（具体的には、フィルタ１６）が行われていることがわかる。
【００２３】
図４（ｂ）の乾燥モードの場合、ランプ表示部５０の「運転」ランプが点灯するとともに、「クリーン」ランプが点灯している。また、室内機１０の上下風向板１９の向きは、水平方向又は室内空間の上向き方向に設定されている。乾燥モードの場合、基本的に暖気が送風されるので、室内の人に送風を当てないように、水平方向又は室内空間の上向き方向としている。これにより、ユーザは、空調運転中であり、室内機の内部クリーンが行われていることがわかる。
【００２４】
図４（ｃ）の洗浄モードの場合、ランプ表示部５０の「運転」ランプが点灯するとともに、「クリーン」ランプが点灯している。ランプの点灯だけみると、洗浄モードと乾燥モードが同じであるので、識別することができない。しかしながら、洗浄モードの場合には、室内機１０の上下風向板１９の向きは、室内空間の下向き方向に設定されている。これにより、ユーザは、空調運転中であり、室内機の内部洗浄（具体的には、室内熱交換器１２）が行われていることがわかる。洗浄モードの場合、室内空間の下方に送風されるが、基本的に人が居ない時間帯に行われるので、ユーザの快適性を損なうことはない。
【００２５】
すなわち、本実施形態の空気調和機ＡＣは、運転状態を表示する１以上の表示ランプと、室内機１０の内部を乾燥させる乾燥モードと室内熱交換器１２を洗浄する洗浄モードとを有する制御部Ｋ（図８参照）と、を備え、制御部Ｋは、乾燥モードと前記洗浄モードの運転開始時又は運転中に、同じ表示ランプを点灯し、かつ、乾燥モードと洗浄モードとでは上下風向板１９を異なる方向に向ける。また、制御部Ｋは、乾燥モードのときに上下風向板１９を室内空間の水平方向又は上側方向に向け、洗浄モードのときに上下風向板１９を室内空間の下側方向に向けるとよい。
【００２６】
これにより、各モードを、ランプ表示部５０の表示方法と、上下風向板１９の向きにより、表示ランプを増加させることなく、運転中の機能を視覚的に示すことができる効果がある。
【００２７】
また、制御部Ｋは、洗浄モードの運転を開始する際に、空調運転の停止時から所定時間（例えば、図１４の時刻ｔ１〜ｔ２の時間）が経過した後に、室内熱交換器１２の凍結又は結露を行うとよい。
【００２８】
＜リモコン＞
図５は、実施形態に係る空気調和機のリモコンの外観を示す図であり、（ａ）はカバーを閉じた通常使用時、（ｂ）カバーの開放時を示す図である。図５（ａ）に示すように、自動運転ボタン（ＡＩこれっきり（登録商標）ボタン）、暖房ボタン、冷房ボタン、除湿ボタン等を有している。リモコン４０は、ユーザによって操作され、室内機１０のリモコン送受信部１１（図１参照）に対して赤外線信号を送信する。当該信号の内容は、運転要求、設定温度の変更、タイマー、運転モードの変更、停止要求等の様々な指令である。空気調和機ＡＣは、これらの信号に基づいて、少なくとも室内の冷房、暖房、除湿等を行うことができる。また、空気清浄等、その他の空気調和の機能を備えていてもよい。すなわち、空気調和機ＡＣは、室内の空気を様々に調整することができる。表示部４１には、現在の運転状態を示す表示がされる。
【００２９】
カバー４９を開けると、図５（ｂ）に示すように（開けたカバー４９は図示省略）、他の機能の各種詳細設定ボタンを有し、特に、今回新たに追加した洗浄ボタン４２を有している。洗浄ボタン４２は、洗浄時刻設定に遷移するためのボタンである。洗浄ボタン４２を押下すると、時刻設定ボタン４３が操作できる。時刻が設定され設定ボタン４４が押下されると時刻が確定される。表示部４１には、洗浄時刻「設定中」の表示例が示されている。洗浄時刻「設定中」は、「設定時刻」が点灯又は点滅する。
【００３０】
時刻設定の例を示すと、リビングの場合、空調が２１時に停止する際に、ユーザは、リビングに人がいない時間帯である夜中の３時に洗浄を開始するように設定するとよい。寝室の場合、ユーザは、寝室に人がいない時間帯である昼間の１５時に洗浄を開始するとよい。
【００３１】
すなわち、本実施形態の空気調和機ＡＣは、空気調和機の動作を操作する空調制御端末（リモコン４０）を有し、空調制御端末は、洗浄モードの開始時刻として、空調運転の停止時から所定時間（例えば、図１４の時刻ｔ１〜ｔ２の時間）経過後の時刻を設定可能とする。また、空気調和機は、後記する人を検知する人検出部を有し、制御部Ｋは、人検出部で人が検出されていない場合に、洗浄モードの運転をするとよい。これにより、洗浄運転時の冷風・送風が人にあたることもなく、室内熱交換器１２の洗浄をすることができる。
【００３２】
図６は、リモコン操作による洗浄モードの表示例を示す説明図であり、（ａ）は洗浄動作を「行う」場合、（ｂ）は洗浄動作を「行わない」場合である。図６（ａ）の洗浄動作を「行う」場合、表示部４１の下段に「洗浄」の文字が表示される。図６（ｂ）の洗浄動作を「行わない」場合、表示部４１の下段に「洗浄なし」の文字が表示される。
【００３３】
制御部Ｋは、「洗浄」を開始する際には、音声部を介して「室内機の内部洗浄をします。」のアナウンスをするとよい。また、制御部Ｋは、前回の洗浄処理の終了時から空調運転の実行時間を積算し、その積算時間が、所定時間経過（例えば、１年間）した場合に、音声部を介して、「ここしばらく室内機の内部洗浄を行っていません。内部洗浄をすることを勧めます。」とアナウンスするとよい。
【００３４】
次に新たに追加した「洗浄モード」について、図７〜図１６を参照して説明する。
図７は、空気調和機ＡＣの冷媒回路Ｑを示す説明図である。図７の実線矢印は、暖房運転時における冷媒の流れを示している。また、図７の破線矢印は、冷房運転時における冷媒の流れを示している。図７に示すように、室外機３０は、圧縮機３１と、室外熱交換器３２と、室外ファン３３と、室外膨張弁３４（膨張弁）と、四方弁３５と、を備えている。
【００３５】
圧縮機３１は、圧縮機モータ３１ａの駆動によって、低温低圧のガス冷媒を圧縮し、高温高圧のガス冷媒として吐出する機器である。室外熱交換器３２は、その伝熱管（図示せず）を通流する冷媒と、室外ファン３３から送り込まれる外気と、の間で熱交換が行われる熱交換器である。
【００３６】
室外ファン３３は、室外ファンモータ３３ａ（図４参照）の駆動によって、室外熱交換器３２に外気を送り込むファンであり、室外熱交換器３２の付近に設置されている。室外膨張弁３４は、「凝縮器」（室外熱交換器３２及び室内熱交換器１２の一方）で凝縮した冷媒を減圧する機能を有している。なお、室外膨張弁３４において減圧された冷媒は、「蒸発器」（室外熱交換器３２及び室内熱交換器１２の他方）に導かれる。
【００３７】
四方弁３５は、空気調和機ＡＣの運転モードに応じて、冷媒の流路を切り替える弁である。すなわち、冷房運転時（破線矢印を参照）には、圧縮機３１、室外熱交換器３２（凝縮器）、室外膨張弁３４、及び室内熱交換器１２（蒸発器）が、四方弁３５を介して環状に順次接続されてなる冷媒回路Ｑにおいて、冷凍サイクルで冷媒が循環する。
【００３８】
また、暖房運転時（実線矢印を参照）には、圧縮機３１、室内熱交換器１２（凝縮器）、室外膨張弁３４、及び室外熱交換器３２（蒸発器）が、四方弁３５を介して環状に順次接続されてなる冷媒回路Ｑにおいて、冷凍サイクルで冷媒が循環する。
【００３９】
すなわち、圧縮機３１、「凝縮器」、室外膨張弁３４、及び「蒸発器」を順次に介して、冷凍サイクルで冷媒が循環する冷媒回路Ｑにおいて、前記した「凝縮器」及び「蒸発器」の一方は室外熱交換器３２であり、他方は室内熱交換器１２である。
【００４０】
図８は、空気調和機ＡＣの制御機能を示すブロック図である。図８に示す室内機１０は、前記した撮像部２３等のほかに、環境検出部２４と、室内制御回路２５と、を備えている。撮像部２３は、室内（室内空間、被空調空間）を撮像するものであり、ＣＣＤセンサ（Charge Coupled Device）やＣＭＯＳセンサ（Complementary Metal Oxide Semiconductor）等の撮像素子を備えている。この撮像部２３の撮像結果に基づき、室内制御回路２５によって、室内にいる人（在室者）が検出される。なお、被空調空間に存在する人を検出する「人検出部」は、撮像部２３と、室内制御回路２５と、を含んで構成される。
【００４１】
環境検出部２４は、室内の状態や室内機１０の機器の状態を検出する機能を有し、室内温度センサ２４ａと、湿度センサ２４ｂと、室内熱交換器温度センサ２４ｃと、を備えている。
【００４２】
室内温度センサ２４ａは、室内（室内空間、被空調空間）の温度を検出するセンサである。この室内温度センサ２４ａは、フィルタ１６（図２参照）よりも空気の吸込側に設置されている。これによって、後記するように室内熱交換器１２を凍結させているとき、その熱輻射の影響に伴う検出誤差を抑制できる。湿度センサ２４ｂは、室内（室内空間、被空調空間）の空気の湿度を検出するセンサであり、室内機１０の所定位置に設置されている。
【００４３】
室内熱交換器温度センサ２４ｃは、室内熱交換器１２（図２参照）の温度を検出するセンサであり、室内熱交換器１２に設置されている。室内温度センサ２４ａ、湿度センサ２４ｂ、及び室内熱交換器温度センサ２４ｃの検出値は、室内制御回路２５に出力される。
【００４４】
室内制御回路２５は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００４５】
図８に示すように、室内制御回路２５は、記憶部２５ａと、室内制御部２５ｂと、を備えている。記憶部２５ａには、所定のプログラムの他、撮像部２３の撮像結果、環境検出部２４の検出結果、リモコン送受信部１１を介して受信したデータ等が記憶される。室内制御部２５ｂは、記憶部２５ａに記憶されているデータに基づいて、所定の制御を実行する。なお、室内制御部２５ｂが実行する処理については後記する。
【００４６】
室外機３０は、前記した構成の他に、室外温度センサ３６と、室外制御回路３７と、を備えている。室外温度センサ３６は、室外の温度（外気温）を検出するセンサであり、室外機３０の所定箇所に設置されている。なお、図８では省略しているが、室外機３０は、圧縮機３１（図３参照）の吸入温度、吐出温度、吐出圧力等を検出する各センサも備えている。室外温度センサ３６を含む各センサの検出値は、室外制御回路３７に出力される。
【００４７】
室外制御回路３７は、図示はしないが、ＣＰＵ、ＲＯＭ、ＲＡＭ、各種インタフェース等の電子回路を含んで構成され、室内制御回路２５と通信線を介して接続されている。図８に示すように、室外制御回路３７は、記憶部３７ａと、室外制御部３７ｂと、を備えている。
【００４８】
記憶部３７ａには、所定のプログラムの他、室外温度センサ３６を含む各センサの検出値等が記憶される。室外制御部３７ｂは、記憶部３７ａに記憶されているデータに基づいて、圧縮機モータ３１ａ（つまり、圧縮機３１）、室外ファンモータ３３ａ、室外膨張弁３４等を制御する。以下では、室内制御回路２５及び室外制御回路３７を「制御部Ｋ」という。
【００４９】
次に、室内熱交換器１２（図２参照）を洗浄するための処理について説明する。
前記したように、室内熱交換器１２の上側・前側（空気の吸込側）には、塵や埃を捕集するためのフィルタ１６（図２参照）が設置されている。しかしながら、細かい塵や埃がフィルタ１６を通り抜けて、室内熱交換器１２に付着することがあるため、室内熱交換器１２を定期的に洗浄することが望まれる。そこで、本実施形態では、室内機１０に取り込まれた空気に含まれる水分を室内熱交換器１２で凍結させ、その後、室内熱交換器１２の氷を溶かすことで、室内熱交換器１２を洗浄するようにしている。このような一連の処理を、室内熱交換器１２の「洗浄処理」という。
【００５０】
図９は、空気調和機ＡＣの制御部Ｋが実行する洗浄処理のフローチャートである（適宜、図７、図８を参照）。なお、図９の「ＳＴＡＲＴ」時までは、所定の空調運転（冷房運転、暖房運転等）が行われていたものとする。
【００５１】
また、室内熱交換器１２の洗浄処理の開始条件が「ＳＴＡＲＴ」時に成立したものとする。この「洗浄処理の開始条件」とは、例えば、前回の洗浄処理の終了時から空調運転の実行時間を積算した値が所定値に達したという条件である。なお、ユーザによるリモコン４０の操作によって、洗浄処理を行う時間帯を設定できるようにしてもよい。
【００５２】
ステップＳ１０１において制御部Ｋは、空調運転を所定時間（例えば、数分間）停止させる。前記した所定時間は、冷凍サイクルを安定させるための時間であり、予め設定されている。例えば、「ＳＴＡＲＴ」時まで行われていた暖房運転を中断して、室内熱交換器１２を凍結させる際（Ｓ１０２）、制御部Ｋは、暖房運転時とは逆向きに冷媒が流れるように四方弁３５を制御する。ここで、仮に、冷媒の流れる向きを急に変えると、圧縮機３１に過負荷がかかり、また、音等でユーザに違和感を生じさせる。そこで、本実施形態では、室内熱交換器１２の凍結（Ｓ１０２）に先立って所定時間、空調運転を停止させるようにしている（Ｓ１０１）。この場合において制御部Ｋが、空調運転の停止時から所定時間が経過した後、室内熱交換器１２の凍結を行うようにしてもよい。
【００５３】
なお、冷房運転を中断して室内熱交換器１２を凍結させる場合には、ステップＳ１０１の処理を省略してもよい。冷房運転中（ＳＴＡＲＴ時）に冷媒が流れる向きと、室内熱交換器１２の凍結中（Ｓ１０２）に冷媒が流れる向きと、は同じだからである。
【００５４】
次に、ステップＳ１０２において制御部Ｋは、室内熱交換器１２を凍結させる。すなわち、制御部Ｋは、室内熱交換器１２を蒸発器として機能させ、室内機１０に取り込まれた空気に含まれる水分を室内熱交換器１２の表面に着霜させて凍結させる。
【００５５】
ステップＳ１０３において制御部Ｋは、室内熱交換器１２を解凍する。例えば、制御部Ｋは、室内熱交換器１２を凝縮器として機能させることによって、室内熱交換器１２の表面の氷を溶かして解凍する。これによって、室内熱交換器１２に付着していた塵や埃が洗い流される。なお、自然解凍でもよいし、室内ファン１４を回して風を当てた解凍でもよい。
【００５６】
ステップＳ１０４において制御部Ｋは、室内熱交換器１２を乾燥させる。例えば、制御部Ｋは、室内ファン１４の駆動によって、室内熱交換器１２の表面の水を乾燥させる。これによって、室内熱交換器１２を清潔な状態にすることができる。ステップＳ１０４の処理を行った後、制御部Ｋは、一連の処理を終了する（ＥＮＤ）。
【００５７】
次に、図９の各ステップの詳細について説明する。
図１０は、室内熱交換器１２を凍結させるための処理（図９のＳ１０２）を示すフローチャートである（適宜、図７、図８を参照）。ステップＳ１０２ａにおいて制御部Ｋは、四方弁３５を制御する。すなわち、制御部Ｋは、室外熱交換器３２を凝縮器として機能させ、室内熱交換器１２を蒸発器として機能させるように四方弁３５を制御する。なお、「洗浄処理」（図９に示す一連の処理）を行う直前に冷房運転を行っていた場合、制御装置は、ステップＳ１０２ａにおいて四方弁３５の状態を維持する。
【００５８】
ステップＳ１０２ｂにおいて制御部Ｋは、凍結時間を設定する。具体的に説明すると、制御部Ｋは、室内空気（被空調空間）の空気の相対湿度に基づいて、凍結時間を設定する。なお、「凍結時間」とは、室内熱交換器１２を凍結させるための所定の制御（Ｓ１０２ｃ〜Ｓ１０２ｅ）が継続される時間である。
【００５９】
図１１は、室内空気の相対湿度と、凍結時間との関係を示すマップである。図１１の横軸は、室内空気の相対湿度であり、湿度センサ２４ｂ（図８参照）によって検出される。図１１の縦軸は、室内空気の相対湿度に対応して設定される凍結時間である。
【００６０】
図１１に示すように、制御部Ｋは、室内空気の相対湿度が高いほど、室内熱交換器１２の凍結を行う凍結時間を短くする。室内空気の相対湿度が高いほど、所定体積の室内空気に含まれる水分の量が多く、室内熱交換器１２に水分が付着しやすいからである。このように凍結時間を設定することで、室内熱交換器１２の洗浄に要する適量の水分を、室内熱交換器１２に付着させ、さらに凍結させることができる。
【００６１】
なお、図１１に示すマップ（データテーブル）に代えて、所定の数式を用いるようにしてもよい。また、制御部Ｋが、室内空気の相対湿度に代えて、室内空気の絶対湿度に基づき、凍結時間を設定するようにしてもよい。すなわち、制御部Ｋは、室内空気の絶対湿度が高いほど、凍結時間を短くするようにしてもよい。
【００６２】
次に、図１０のステップＳ１０２ｃにおいて制御部Ｋは、圧縮機３１の回転速度を設定する。すなわち、制御部Ｋは、室外温度センサ３６の検出値である室外温度に基づいて、圧縮機モータ３１ａの回転速度を設定し、圧縮機３１を駆動する。
【００６３】
図１２は、室外温度と、圧縮機３１の回転速度との関係を示すマップである。室内熱交換器１２を凍結させる際、制御部Ｋは、図１２に示すように、室外温度が高いほど、圧縮機モータ３１ａの回転速度を大きくする。室内熱交換器１２において室内空気から熱を奪うには、それに対応して、室外熱交換器３２での放熱が充分に行われることを要するからである。例えば、室外温度が比較的高い場合、制御部Ｋは、圧縮機モータ３１ａの回転速度を大きくすることで、圧縮機３１から吐出される冷媒の温度・圧力を高くする。これによって、室外熱交換器３２での熱交換が適切に行われ、ひいては、室内熱交換器１２の凍結も適切に行われる。なお、図１２に示すマップ（データテーブル）に代えて、所定の数式を用いるようにしてもよい。
【００６４】
ちなみに、通常の空調運転（冷房運転や暖房運転）では、圧縮機３１から吐出される冷媒の温度等に基づいて、圧縮機３１の回転速度が制御されることが多い。一方、室内熱交換器１２を凍結させているときには、圧縮機３１から吐出される冷媒の温度が通常の空調運転時よりも低くなりやすいため、別のパラメータとして、室外温度を用いるようにしている。
【００６５】
次に、図１０のステップＳ１０２ｄにおいて制御部Ｋは、室外膨張弁３４の開度を調整する。なお、ステップＳ１０２ｄでは、通常の冷房運転時よりも室外膨張弁３４の開度を小さくすることが望ましい。これによって、通常の冷房運転時よりも低温低圧の冷媒が、室外膨張弁３４を介して室内熱交換器１２に流入する。したがって、室内熱交換器１２に付着した水が凍結しやすくなり、また、室内熱交換器１２の凍結に要する消費電力量を低減できる。
【００６６】
ステップＳ１０２ｅにおいて制御部Ｋは、室内熱交換器１２の温度が所定範囲内であるか否かを判定する。前記した「所定範囲」とは、室内機１０に取り込まれた空気に含まれる水分が室内熱交換器１２で凍結し得る範囲であり、予め設定されている。
【００６７】
ステップＳ１０２ｅにおいて室内熱交換器１２の温度が所定範囲外である場合（Ｓ１０２ｅ：Ｎｏ）、制御部Ｋの処理はステップＳ１０２ｄに戻る。例えば、室内熱交換器１２の温度が所定範囲よりも高い場合、制御部Ｋは、室外膨張弁３４の開度をさらに小さくする（Ｓ１０２ｅ）。このように、制御部Ｋは、室内熱交換器１２を凍結させているとき、室内熱交換器１２の温度が所定範囲内に収まるように、室外膨張弁３４の開度を調整する。
【００６８】
なお、図１０では省略しているが、室内熱交換器１２を凍結させているとき（つまり、所定の凍結時間が経過するまでの間）、制御部Ｋは、室内ファン１４を停止状態にしてもよいし、また、室内ファン１４を所定の回転速度で駆動してもよい。いずれの場合でも、室内熱交換器１２の凍結が進むからである。
【００６９】
図１３は、室内熱交換器１２の温度の時間的な変化の一例を示す説明図である。図１３の横軸は、図１０の「ＳＴＡＲＴ」時からの経過時間である。図１３の縦軸は、室内熱交換器１２の温度（室内熱交換器温度センサ２４ｃの検出値：図８参照）である。なお、温度が０℃未満の所定範囲Ｆは、ステップＳ１０２ｅ（図１０参照）の判定基準となる温度範囲であり、前記したように、予め設定されている。
【００７０】
図１３に示すように、室内熱交換器１２を凍結させるための所定の制御が開始されてからの「経過時間」が長くなるにつれて、室内熱交換器１２の温度が徐々に低くなっている。そして、経過時間ｔＡを過ぎると、室内熱交換器１２の温度が所定範囲Ｆ内に収まっている。これによって、室内機１０の信頼性を確保しつつ（室内熱交換器１２の温度が過度に低くなることを抑制しつつ）、室内熱交換器１２を凍結させることができる。
【００７１】
なお、経過時間ｔＡを過ぎると、室内熱交換器１２の凍結が進むため、時間の経過とともに、室内熱交換器１２の氷の厚さが厚くなっていく。これによって、室内熱交換器１２の洗浄に要する充分な量の水を、室内熱交換器１２で凍らせることができる。
【００７２】
図１０のステップＳ１０２ｅにおいて室内熱交換器１２の温度が所定範囲内である場合（Ｓ１０２ｅ：Ｙｅｓ）、制御部Ｋの処理はステップＳ１０２ｆに進む。ステップＳ１０２ｆにおいて制御部Ｋは、ステップＳ１０２ｂで設定した凍結時間が経過したか否かを判定する。「ＳＴＡＲＴ」時から所定の凍結時間が経過していない場合（Ｓ１０２ｆ：Ｎｏ）、制御部Ｋの処理はステップＳ１０２ｃに戻る。一方、「ＳＴＡＲＴ」時から所定の凍結時間が経過した場合（Ｓ１０２ｆ：Ｙｅｓ）、制御部Ｋは、室内熱交換器１２を凍結させるための一連の処理を終了する（ＥＮＤ）。
【００７３】
なお、図１０の「ＳＴＡＲＴ」時からの経過時間ではなく、室内熱交換器１２の温度が所定範囲Ｆ内に収まってからの経過時間（図１３に示す時刻ｔＡからの経過時間）に基づいて、ステップＳ１０２ｆの判定処理を行うようにしてもよい。
【００７４】
また、図１０では省略したが、室外温度が氷点下である場合、制御部Ｋは、室内熱交換器１２の凍結を行わないことが好ましい。その後の室内熱交換器１２の解凍によって流れ落ちた多量の水がドレンホース（図示せず）内で凍りつくことを防止し、ひいては、ドレンホースを介した排水が阻害されることを防止するためである。
【００７５】
図１４は、圧縮機３１及び室内ファン１４のＯＮ／ＯＦＦの切替えに関する説明図である。なお、図１４の横軸は時刻である。また、図１４の縦軸は、圧縮機３１のＯＮ／ＯＦＦ、及び室内ファン１４のＯＮ／ＯＦＦを示している。
【００７６】
図１４に示す例では、所定の空調運転が時刻ｔ１まで行われており、圧縮機３１及び室内ファン１４が駆動している（つまり、ＯＮ状態である）。その後、時刻ｔ１〜ｔ２において圧縮機３１及び室内ファン１４が停止している（図９のステップＳ１０１）。そして、時刻ｔ２〜ｔ３において、室内熱交換器１２の凍結が行われている（図９のステップＳ１０２）。この時刻ｔ２〜ｔ３の時間が、ステップＳ１０２ｂ（図１０参照）で設定された凍結時間である。
【００７７】
図１４に示す例では、室内熱交換器１２の凍結中、室内ファン１４が停止されている。これによって、室内に冷風が吹き出されないため、ユーザの快適性を損なうことなく、室内熱交換器１２を凍結させることができる。なお、時刻ｔ３以後の処理については後記する。
【００７８】
図１５は、室内熱交換器１２を解凍するための処理（図９のＳ１０３）を示すフローチャートである（適宜、図７、図８を参照）。制御部Ｋは、前記したステップＳ１０２（Ｓ１０２ａ〜Ｓ１０２ｆ）（図９、図１０参照）の処理によって室内熱交換器１２を凍結させた後、図１５に示す一連の処理を実行する。
【００７９】
ステップＳ１０３ａにおいて制御部Ｋは、室内温度（被空調空間の温度）が所定値以上であるか否かを判定する。この所定値は、室内熱交換器１２を凝縮器として機能させるか否かの判定基準となる閾値であり、予め設定されている。
【００８０】
ステップＳ１０３ａにおいて室内温度が所定値以上である場合（Ｓ１０３ａ：Ｙｅｓ）、制御部Ｋは、室内熱交換器１２を解凍するための処理を終了する（ＥＮＤ）。次に説明するように、室内熱交換器１２を解凍させる際には暖房運転時と同様に四方弁３５が制御されるが、室内温度が所定値以上の場合には冷凍サイクルの凝縮側の熱負荷が大きくなり過ぎて、蒸発側との均衡がとれなくなるからである。また、室内温度が比較的高い場合には、室内熱交換器１２の氷が時間の経過とともに自然に溶けるからである。
【００８１】
ステップＳ１０３ｂ以降の処理は、図１４の時刻ｔ３〜ｔ４と異なり、変形例の制御方法である。ステップＳ１０３ｂにおいて制御部Ｋは、四方弁３５を制御する。すなわち、制御部Ｋは、室内熱交換器１２を凝縮器として機能させ、室外熱交換器３２を蒸発器として機能させるように四方弁３５を制御する。つまり、制御部Ｋは、暖房運転時と同様に四方弁３５を制御する。
【００８２】
ステップＳ１０３ｃにおいて制御部Ｋは、上下風向板１９（図２参照）を閉じる。これによって、次に室内ファン１４を駆動させても（Ｓ１０３ｄ）、水の滴が空気とともに室内に飛び出すことを防止できる。
ステップＳ１０３ｄにおいて制御部Ｋは、室内ファン１４を駆動する。これによって、空気吸込口ｈ１（図２参照）を介して空気が取り込まれ、さらに、取り込まれた空気が上下風向板１９と前面パネル１７との隙間等を介して室内に漏れ出る。したがって、室内熱交換器１２（凝縮器）の温度が高くなり過ぎることを抑制できる。
【００８３】
ステップＳ１０３ｅにおいて制御部Ｋは、圧縮機３１の回転速度を所定の値に設定し、圧縮機３１を駆動する。ステップＳ１０３ｆにおいて制御部Ｋは、室外膨張弁３４の開度を調整する。このように圧縮機３１及び室外膨張弁３４が適宜に制御されることで、凝縮器である室内熱交換器１２を介して高温の冷媒が通流する。その結果、室内熱交換器１２の氷が一気に溶けるため、室内熱交換器１２に付着していた塵や埃が洗い流される。そして、塵や埃を含む水はドレンパン１３（図２参照）に落下し、ドレンホース（図示せず）を介して外部に排出される。
【００８４】
ステップＳ１０３ｇにおいて制御部Ｋは、図１５の「ＳＴＡＲＴ」時から所定時間が経過したか否かを判定する。この所定時間は、室内熱交換器１２の解凍に要する時間であり、予め設定されている。ステップＳ１０３ｇにおいて「ＳＴＡＲＴ」時から所定時間が経過していない場合（Ｓ１０３ｇ：Ｎｏ）、制御部Ｋの処理はステップＳ１０３ｆに戻る。一方、「ＳＴＡＲＴ」時から所定時間が経過した場合（Ｓ１０３ｇ：Ｙｅｓ）、制御部Ｋは、室内熱交換器１２を解凍するための一連の処理を終了する（ＥＮＤ）。
【００８５】
なお、図１５に示す一連の処理に代えて、図１４のタイムチャート（時刻ｔ３〜ｔ４）に示すように、圧縮機３１や室内ファン１４を停止状態で維持するようにしてもよい。室内熱交換器１２を凝縮器として機能させずとも、室内熱交換器１２の氷が室温で自然に溶けるからである。これによって、室内熱交換器１２の解凍に要する消費電力を低減できる。また、上下風向板１９（図２参照）の内側に水滴が付くことを抑制できる。
【００８６】
図１６は、室内熱交換器１２を乾燥させるための処理（図９のＳ１０４）を示すフローチャートである。制御部Ｋは、前記したステップＳ１０３（Ｓ１０３ａ〜Ｓ１０３ｇ）の処理（図９、図１５参照）によって室内熱交換器１２を解凍した後、図１６に示す一連の処理を実行する。
【００８７】
ステップＳ１０４ａにおいて制御部Ｋは、四方弁３５、圧縮機３１、室内ファン１４等の駆動状態を維持する。すなわち、制御部Ｋは、室内熱交換器１２の解凍時と同様に四方弁３５を制御し、また、圧縮機３１や室内ファン１４等を駆動させ続ける。このように暖房運転時と同様の制御を行うことで、室内熱交換器１２に高温の冷媒が流れ、また、室内機１０に空気が取り込まれる。その結果、室内熱交換器１２に付着した水が蒸発する。
【００８８】
次に、ステップＳ１０４ｂにおいて制御部Ｋは、ステップＳ１０４ａの処理を開始してから所定時間が経過したか否かを判定する。所定時間が経過していない場合（Ｓ１０４ｂ：Ｎｏ）、制御部Ｋの処理はステップＳ１０４ａに戻る。一方、所定時間が経過した場合（Ｓ１０４ｂ：Ｙｅｓ）、制御部Ｋの処理はステップＳ１０４ｃに進む。
【００８９】
ステップＳ１０４ｃにおいて制御部Ｋは、送風運転を実行する。すなわち、制御部Ｋは、圧縮機３１を停止させ、室内ファン１４を所定の回転速度で駆動する。これによって、室内機１０の内部が乾燥するため、防菌・防黴の効果が奏される。
【００９０】
なお、ステップＳ１０４ａやステップＳ１０４ｃの処理中、上下風向板１９（図２参照）を閉じていてもよいし、また、上下風向板１９を開いていてもよい。
【００９１】
次に、ステップＳ１０４ｄにおいて制御部Ｋは、ステップＳ１０４ｃの処理を開始してから所定時間が経過しているか否かを判定する。所定時間が経過していない場合（Ｓ１０４ｄ：Ｎｏ）、制御部Ｋの処理はステップＳ１０４ｃに戻る。一方、所定時間が経過した場合（Ｓ１０４ｄ：Ｙｅｓ）、制御部Ｋは、室内熱交換器１２を乾燥させるための一連の処理を終了する（ＥＮＤ）。
【００９２】
なお、図１４に示すタイムチャートでは、時刻ｔ４〜ｔ５において暖房（図１６のＳ１０４ａ）が行われた後、時刻ｔ５〜ｔ６において送風（図１６のＳ１０４ｃ）が行われている。このように暖房及び送風を順次に行うことで、室内熱交換器１２を効率的に乾燥させることができる。
【００９３】
＜効果＞
本実施形態によれば、制御部Ｋは、室内熱交換器１２を凍結させた後（図９のＳ１０２）、室内熱交換器１２の氷を解凍する（Ｓ１０３）。これによって、通常の冷房運転時よりも、室内熱交換器１２に多くの水分（氷）を付着させることができる。そして、室内熱交換器１２の解凍によって、その表面に多量の水が流れるため、室内熱交換器１２に付着した塵や埃を洗い流すことができる。
【００９４】
また、室内熱交換器１２を凍結させる際、制御部Ｋは、例えば、室内空気の相対湿度に基づいて凍結時間を設定する（図１０のＳ１０２ｂ、図１１参照）。これによって、室内熱交換器１２の洗浄に要する適量の水を、室内熱交換器１２において凍らせることができる。
【００９５】
また、室内熱交換器１２を凍結させているとき、制御部Ｋは、室外温度に基づいて圧縮機モータ３１ａの回転速度を設定する（図１０のＳ１０２ｃ、図１２参照）。これによって、室内熱交換器１２の凍結中、室外熱交換器３２での放熱を適切に行うことができる。
【００９６】
また、室内熱交換器１２を凍結させているとき、制御部Ｋは、室内熱交換器１２の温度に基づいて、室外膨張弁３４の開度を調整する（図１０のＳ１０２ｄ、Ｓ１０２ｅ）。これによって、室内熱交換器１２に通流する冷媒の温度を十分に低くし、室内機１０に取り込まれた空気に含まれる水分を室内熱交換器１２において凍らせることができる。
【００９７】
≪変形例≫
以上、本発明に係る空気調和機ＡＣ等について実施形態で説明したが、本発明はこれらの記載に限定されるものではなく、種々の変更を行うことができる。
例えば、実施形態では、室内熱交換器１２の凍結・解凍・乾燥を順次に行う処理（図９のＳ１０２〜Ｓ１０４）について説明したが、これに限らない。また、室内熱交換器１２の解凍・乾燥のうち一方又は両方を省略してもよい。この場合でも、室内熱交換器１２が室温で自然に解凍され、その水によって室内熱交換器１２が洗浄されるからである。また、各機器の停止状態の継続や、その後の空調運転等によって、室内熱交換器１２が乾燥するからである。
【００９８】
また、室内熱交換器１２を凍結させる際、圧縮機モータ３１ａ（図８参照）の制御によって、室内熱交換器１２に流れる冷媒の流量を通常の空調運転時よりも少なくするようにしてもよい。これによって、室内熱交換器１２の流路の途中で冷媒が蒸発しきるため、その上流側が凍結し、下流側が凍結しない状態になる。これによって、室内熱交換器１２の一部（上流側）を凍結させつつ、室内に冷風が送り込まれることを抑制できる。また、圧縮機モータ３１ａの回転速度が比較的遅いため、空気調和機ＡＣの消費電力量を低減できる。
【００９９】
なお、前記した制御を行う場合において、室内熱交換器１２の上流側が、室内熱交換器１２の下流側よりも上側に位置していることが好ましい。これによって、室内熱交換器１２の上流側を解凍させると、その水が室内熱交換器１２の下流側に流れ落ちる。これによって、室内熱交換器１２の上流側・下流側の両方を洗浄できる。
【０１００】
また、実施形態では、室内熱交換器１２の凍結等によって、室内熱交換器１２を洗浄する処理について説明したが、これに限らない。例えば、室内熱交換器１２を凍結させないで、結露させることによって、室内熱交換器１２を洗浄するようにしてもよい。この場合において、制御部Ｋは、通常の冷房運転や除湿運転よりも、冷媒の蒸発温度が低くなるようにする。具体的に説明すると、制御部Ｋは、図８に示す室内温度センサ２４ａの検出値（室内空気の温度）と、湿度センサ２４ｂの検出値（室内空気の相対湿度）と、に基づいて、室内空気の露点を算出する。そして、制御部Ｋは、室内熱交換器１２の温度が、前記した露点以下であり、かつ、所定の凍結温度よりも高くなるように、室外膨張弁３４の開度等を制御する。
【０１０１】
前記した「凍結温度」とは、室内空気の温度を低下させたとき、室内空気に含まれる水分が、室内熱交換器１２において凍結し始める温度である。このように室内熱交換器１２を結露させることによって、その結露水で室内熱交換器１２を洗浄できる。
【０１０２】
なお、室内熱交換器１２を結露させる場合の制御内容は、室外膨張弁３４の開度が異なる点を除いて、室内熱交換器１２を凍結させる場合の制御内容と同様である。したがって、実施形態で説明した事項は、室内熱交換器１２を結露させる場合にも適用できる。
【０１０３】
また、室内熱交換器１２を結露させた後、室内熱交換器１２を乾燥させてもよい。すなわち、室内熱交換器１２を結露させた場合において制御部Ｋは、室内熱交換器１２を凝縮器として機能させるか、送風運転を実行するか、又は、圧縮機３１を含む機器の停止状態を継続させることで、室内熱交換器１２を乾燥させる。
【０１０４】
また、制御部Ｋが、室内熱交換器１２の凍結と、室内熱交換器１２の結露と、を所定期間を空けて交互に行うようにしてもよい。例えば、所定の開始条件が成立するたびに室内熱交換器１２の洗浄処理を実行する場合において、制御部Ｋが、室内熱交換器１２の凍結と、室内熱交換器１２の結露と、を交互に行うようにしてもよい。
【０１０５】
なお、「所定の開始条件」とは、例えば、前回の洗浄処理の終了時から空調運転の実行時間を積算し、その積算時間が所定値に達したという条件である。これによって、凍結による室内熱交換器１２の洗浄を繰り返す場合に比べて、室内に冷風が吹き出される頻度を低減し、ユーザにとっての快適性を高めることができる。
【０１０６】
また、制御部Ｋが、室内熱交換器１２の凍結と、暖房運転後の冷房運転と、を所定期間を空けて交互に行うようにしてもよい。これによって、凍結による室内熱交換器１２の洗浄を繰り返す場合と比べて、室内に冷風が吹き出される頻度を低減できる。
【０１０７】
また、室内熱交換器１２の結露と、暖房運転後の冷房運転と、を所定期間を空けて交互に行うようにしてもよい。これによって、凍結による室内熱交換器１２の洗浄を繰り返す場合と比べて、室内に冷風が吹き出される頻度を低減できる。
【０１０８】
また、制御部Ｋが、撮像部２３（図８参照）による被空調空間の撮像結果に基づいて、上下風向板用モータ２２（図８参照）及び左右風向板用モータ２１（図８参照）を制御するようにしてもよい。すなわち、室内熱交換器１２を凍結（又は結露）させているとき、制御部Ｋは、被空調空間の撮像結果に基づいて人を検出した場合には、その人のいない方向に冷風が吹き出されるように、上下風向板１９及び左右風向板１８の角度を調整する。これによって、室内の人に冷風が直接あたることを防止できる。
【０１０９】
また、室内熱交換器１２を凍結させているとき、制御部Ｋが、サーモパイルや焦電型赤外線センサ等の室内温度センサ２４ａ（人検出部：図８参照）によって室内の熱画像を取得するようにしてもよい。この場合において制御部Ｋは、室内の高温領域（人がいる可能性のある領域）に冷風が送り込まれないように、上下風向板１９及び左右風向板１８の角度を調整する。
【０１１０】
また、本実施形態では、室内熱交換器１２を解凍する際、「室内温度」が所定値以上である場合には（図１５のＳ１０３ａ：Ｙｅｓ）、室内熱交換器１２を凝縮器として機能させない処理について説明したが、これに限らない。例えば、室内熱交換器１２を解凍する際、「室外温度」が所定値以上である場合には、室内熱交換器１２を凝縮器として機能させないようにしてもよい。仮に、室外温度が所定値以上の状態で暖房運転を行うと、蒸発器として機能する室外熱交換器３２で冷媒が過剰に吸熱するため、冷媒の凝縮側・蒸発側における熱交換の均衡がとれなくなるからである。この場合において制御部Ｋは、送風運転を実行するか、又は、圧縮機３１を含む機器の停止状態を継続させることで、室内熱交換器１２を解凍する。
【０１１１】
本実施形態では、室内熱交換器１２を凝縮器として機能させることで、室内熱交換器１２を解凍する場合について説明したが、これに限らない。すなわち、制御部Ｋが送風運転を実行するか、又は、圧縮機３１を含む機器の停止状態を継続させることで、室内熱交換器１２を解凍するようにしてもよい。
【０１１２】
また、本実施形態では、暖房運転及び送風運転を順次に実行することで、室内熱交換器１２を乾燥させる処理について説明したが（図１４参照）、これに限らない。すなわち、室内熱交換器１２の解凍後、室内熱交換器１２を凝縮器として機能させるか、送風運転を実行するか、又は、圧縮機３１を含む機器の停止状態を継続させることで、室内熱交換器１２を乾燥させるようにしてもよい。
【０１１３】
また、室内熱交換器１２の解凍によって多量の水がドレンパン１３に滴り落ちる。したがって、ドレンパン１３に抗菌剤を練り込むことで抗菌するようにしてもよい。また、紫外線照射手段（図示せず）を室内機１０に設け、ドレンパン１３に紫外線を照射することで抗菌するようにしてもよい。また、オゾン発生手段（図示せず）を室内機１０に設け、このオゾン発生手段によって、ドレンパン１３等の抗菌を行うようにしてもよい。また、ドレンパン１３を介して水が流れやすいように、また、ドレンパン１３を抗菌するために、銅等の金属でドレンパン１３をコーティングしてもよい。
【０１１４】
また、冷房運転中や除湿運転中、ドレンパン１３に水を溜めておき、溜まった水をポンプ（図示せず）によって汲み上げて、室内熱交換器１２を洗浄するようにしてもよい。
【０１１５】
また、本実施形態では、室内機１０（図７参照）及び室外機３０（図７参照）が一台ずつ設けられる構成について説明したが、これに限らない。すなわち、並列接続された複数台の室内機を設けてもよいし、また、並列接続された複数台の室外機を設けてもよい。
【０１１６】
本実施形態の本発明の空気調和機は、運転状態を表示する１以上の表示ランプと、室内機１０の内部を乾燥させる乾燥モードと室内熱交換器を洗浄する洗浄モードとを有する制御部Ｋと、を備え、制御部Ｋは、乾燥モードと洗浄モードの運転開始時又は同モードの運転中に、同じ表示ランプを点灯し、かつ、乾燥モードと洗浄モードとでは上下風向板を異なる方向に向ける。これにより、ユーザにとって、運転中の機能を視覚的に示すことができる。
【０１１７】
図４においては、（ａ）のフィルタ清掃モード、（ｂ）の乾燥モード、（ｃ）の洗浄モードにおいて、「クリーン」ランプが点灯しており、各モードにおいて同じであるが、（ａ）のフィルタ清掃モードは、上下風向板１９が閉じている。これに対し、（ｂ）の乾燥モード又は（ｃ）の洗浄モードは上下風向板１９は開いている。これにより、同じ「クリーン」ランプが点灯していても、上下風向板１９の向きをみると、異なる機能が動作していることが識別することができる。
【０１１８】
以上、実施形態は本発明を分かりやすく説明するために詳細に記載したものであり、必ずしも説明した全ての構成を備えるものに限定されない。また、実施形態の構成の一部について、他の構成の追加・削除・置換をすることが可能である。また、前記した機構や構成は説明上必要と考えられるものを示しており、製品上必ずしも全ての機構や構成を示しているとは限らない。
【符号の説明】
【０１１９】
１０    室内機
１２    室内熱交換器（蒸発器／凝縮器）
１４    室内ファン
１６    フィルタ
１８    左右風向板
１９    上下風向板
２３    撮像部（人検出部）
３０    室外機
３１    圧縮機
３１ａ    圧縮機モータ（圧縮機のモータ）
３２    室外熱交換器（凝縮器／蒸発器）
３３    室外ファン
３４    室外膨張弁（膨張弁）
３５    四方弁
４０    リモコン（空調制御端末）
４１    表示部
４２    洗浄ボタン
４３    時刻設定ボタン
４４    設定ボタン
４９    カバー
５０    ランプ表示部
ｈ１    空気吸込口
ｈ２    空気吹出し風路
ｈ３    空気吹出し口
Ｋ    制御部
Ｑ    冷媒回路
ＡＣ    空気調和機
【図１】
2018200127.tif 000003
【図２】
2018200127.tif 000004
【図３】
2018200127.tif 000005
【図４】
2018200127.tif 000006
【図５】
2018200127.tif 000007
【図６】
2018200127.tif 000008
【図７】
2018200127.tif 000009
【図８】
2018200127.tif 000010
【図９】
2018200127.tif 000011
【図１０】
2018200127.tif 000012
【図１１】
2018200127.tif 000013
【図１２】
2018200127.tif 000014
【図１３】
2018200127.tif 000015
【図１４】
2018200127.tif 000016
【図１５】
2018200127.tif 000017
【図１６】
2018200127.tif 000018